(57)【要約】【課題】  低温高湿状態のような状態でも、容易に除湿能力が低下したことを把握することができる空気調和機を提供することを目的とする。【解決手段】  室内空気の湿度を検出する湿度センサー１と、室内空気の温度を検出する温度センサー２と、当該空気調和機の除湿能力特性における温湿度毎の除湿量を記憶した除湿能力記憶部３と、前記湿度センサー１、温度センサー２より検出された温湿度及び前記除湿能力記憶部３に記憶された除湿量を基に当該空気調和機が除湿することのできる有効除湿量Ｈａ、最も効率良く除湿可能となる最適温度Ｔ1及び最適温度Ｔ1になった場合の最大除湿量Ｈｂを読み出し、最大除湿量Ｈｂに対する有効除湿量Ｈａの割合を算出する除湿能力演算部４と、除湿能力演算部４で算出した最大除湿量Ｈｂに対する有効除湿量Ｈａの割合Ｐを表示する表示部８とを備えている。【選択図】  図１
2005214482.tif 000002
【特許請求の範囲】
【請求項１】
室内空気の湿度を検出する湿度センサーと、室内空気の温度を検出する温度センサーと、当該空気調和機の除湿能力特性における温湿度毎の除湿量データを記憶した除湿能力記憶部と、前記湿度センサー、前記温度センサーより測定された室内空気の温湿度及び前記除湿能力記憶部に記憶された温湿度毎の除湿量データを基に当該空気調和機が除湿することのできる有効除湿量、最も効率良く除湿可能となる最適温度、及び前記最適温度になった場合の最大除湿量を読み出し、最大除湿量に対する現在の除湿運転における有効除湿量の割合を算出する除湿能力演算部と、この除湿能力演算部で算出された前記最大除湿量に対する前記有効除湿量の割合を表示する表示部とを備えたことを特徴とする空気調和機。
【請求項２】
前記表示部は、最大除湿量が得られる最適温度と、最大除湿量に対する現在の除湿運転における有効除湿量の割合の両方を表示することを特徴とする請求項１記載の空気調和機。
【請求項３】
前記最大除湿量に対する現在の除湿運転における有効除湿量の割合が一定の値を下回ったときに警報を発生する警報手段を、さらに備えていることを特徴とする請求項１または請求項２記載の空気調和機。
【発明の詳細な説明】
【技術分野】
【０００１】
本発明は、除湿運転機能を有する空気調和機に関し、詳しくは、効率のよい除湿運転が行えるようにした空気調和機に関するものである。
【背景技術】
【０００２】
従来の除湿運転機能を有した空気調和機において、運転されているときの吸入空気の湿度、吹出空気の湿度、または吸入空気の湿度、吹出空気の湿度、及び風量から除湿量を算出した除湿量を表示部に表示するようにして、使用者が運転状況を容易に把握することができるようにしたものがある。（例えば、特許文献１参照）
【０００３】
【特許文献１】特開２００２−３４９９３４号公報（第２−６頁、第１図）
【発明の開示】
【発明が解決しようとする課題】
【０００４】
圧縮機及び送風機を使用する方式の除湿運転機能を有した空気調和機においては、室内の温度及び湿度により除湿能力が大きく変化してしまう。この除湿運転機能を有した空気調和機では、室内の湿度を表示する機能は有しているが、これだけでは、使用者は除湿状況を容易に把握することができず、除湿運転後、長時間経過しないと、除湿効果を確認できないという問題があった。そこで、上記特許文献１に示されるような空気調和機が提案されたが、上記特許文献１に示された空気調和機では、吸入空気の湿度と吹出空気の湿度を測定してその両方の湿度を表示するか、または測定した吸入空気の湿度と吹出空気の湿度とそのときの風量から除湿量を演算して除湿量を表示するというものであるため、いずれを表示するにしても、複数の湿度センサーを設置する必要があり、コストアップになるという問題を有していた。
【０００５】
また、雪国地方で多く見られる低温時には、除湿運転を行っても除湿能力が著しく低下してしまう為、高湿であるにも拘わらず、吸入空気の湿度と吹出空気の湿度が変化しづらくなる。従って、除湿量を演算して表示しても、算出される除湿量は使用者が期待しているものとは大きく異なり、使用者は高湿であるのに除湿運転を行っていないと不信感を抱く問題も有していた。
【０００６】
本発明は、上述のような課題を解決するためになされたもので、運転しているときの除湿状況を使用者が容易に把握することができ、且つ、低コストで実現可能とした空気調和機を提供することを目的とする。
【課題を解決するための手段】
【０００７】
本発明に係る空気調和機は、室内空気の湿度を検出する湿度センサーと、室内空気の温度を検出する温度センサーと、当該空気調和機の除湿能力特性における温湿度毎の除湿量データを記憶した除湿能力記憶部と、前記湿度センサー、前記温度センサーより測定された室内空気の温湿度及び前記除湿能力記憶部に記憶された温湿度毎の除湿量データを基に当該空気調和機が除湿することのできる有効除湿量、最も効率良く除湿可能となる最適温度、及び前記最適温度になった場合の最大除湿量を読み出し、最大除湿量に対する現在の除湿運転における有効除湿量の割合を算出する除湿能力演算部と、この除湿能力演算部で算出された前記最大除湿量に対する前記有効除湿量の割合を表示する表示部とを備えたことを特徴としている。
【発明の効果】
【０００８】
本発明の空気調和機によれば、最大除湿量に対する現在の除湿運転における有効除湿量の割合を表示部に表示するようにしているので、低温高湿状態のような状態でも、使用者は容易に除湿能力が低下したことを把握することができ、使用者は室温を何らかの方法で上昇させることにより、より効率のよい除湿運転を行うことが可能となる。また、複数の湿度センサーも設置する必要はないので、低コストで実現可能である。
【発明を実施するための最良の形態】
【０００９】
実施の形態１．
以下、本発明の実施の形態１を図面に基づいて説明する。
図１は、本発明の実施の形態１を示す空気調和機の構成を示すブロック図である。
図１において、１は室内空気の湿度を検出する湿度センサーであり、２は室内空気の温度を検出する温度センサーである。湿度センサー１は相対湿度または絶対湿度の何れを検出するものを用いても構わない。
【００１０】
３は除湿能力記憶部であり、当該空気調和機の除湿能力特性における温湿度毎の除湿量データをあらかじめ記憶している。４は除湿能力演算部、５は運転制御部であり、この運転制御部５の出力側には、圧縮機６、送風ファン７、表示部８、ブザー９が接続されている。
前記除湿能力演算部４は、湿度センサー１及び温度センサー２で検出された温湿度における当該空気調和機の有効除湿量Ｈaを除湿能力記憶部３に記憶されたデータから読み出す。また、前記除湿能力演算部４は同時に、湿度センサー１で検出された湿度において最も効率よく除湿することのできる最適温度Ｔ１とした場合の最大除湿量Ｈｂを除湿能力記憶部３に記憶されたデータから読み出す。そして、この読み出された最大除湿量Ｈｂに対する有効除湿量Ｈａの割合Ｐを演算し、運転制御部５に出力する。運転制御部５は前記除湿能力演算部４で演算された最大除湿量Ｈｂに対する有効除湿量Ｈａの割合Ｐを表示部８に出力して表示させる。また、この割合Ｐが一定の値以下になった場合、運転制御部５はブザー９を作動させて警報を発生する。
【００１１】
図２は、除湿運転機能を有する空気調和機の除湿量−室温特性線図である。
一般的に圧縮機６を利用した除湿運転機能を有する空気調和機の除湿量−室温特性は、図２のような特性線図になる。
図２において、横軸は除湿運転を行う環境における室温であり、縦軸は当該空気調和機が除湿することのできる有効除湿量である。この図から読み取れるように、湿度を一定とした場合、室温を上げることで、有効除湿量は増加する。例えば、本発明における除湿運転機能を有する空気調和機において、相対湿度を６０％とした場合、室温１０℃のときには１日当たり約５Ｌ除湿することができるが、室温を３０℃に上昇させることで、１日当たり約１８Ｌ除湿することが可能となり、除湿量は大きく変化する。これにより、除湿能力を向上させるには、室温を上げることが有効であることがわかる。
【００１２】
図３は、本発明の実施の形態1における制御フローチャートである。
次に、図３により実施の形態1における作用について詳細に説明する。
まず、除湿運転開始と同時に湿度センサー１及び温度センサー２により室内空気の温湿度が測定され、除湿能力演算部４に入力される（ステップS１）。次に、除湿能力演算部４は入力された温湿度に対応した有効除湿量Ｈａ、最も効率よく除湿することのできる最適温度Ｔ１、及び最適温度Ｔ1のときの最大除湿量Ｈｂを除湿能力記憶部１３に保存されているデータから読み出す（ステップＳ２）。ここで、最適温度Ｔ１は居住環境にあっても不快とならない温度（本発明においては、３０℃とする）を上限とする。
【００１３】
その結果を基に除湿能力演算部４は最大除湿量Ｈｂに対する現在の除湿運転における有効除湿量Ｈａの割合Ｐを演算し、運転制御部５へ出力する（ステップＳ３）。そして、運転制御部５は入力された最大除湿量Ｈｂに対する有効除湿量Ｈａの割合Ｐを、例えば、図４のように、棒グラフ化して表示部８に出力して、最大除湿量Ｈｂに対する有効除湿量Ｈａの割合Ｐを表示する（ステップＳ４）。因みに、図４は、最大除湿量Ｈｂに対する現在の除湿運転の有効除湿量Ｈａの割合Ｐが７０％の場合の表示例である。これにより、使用者は除湿能力の低下と室温の低下を容易に関連付けて把握することができる。
【００１４】
次に、最大除湿量Ｈｂに対する有効除湿量Ｈａの割合Ｐが一定値以下（本発明においては，６０％とする）かを比較判定する（ステップＳ５）。このとき、Ｐ＞６０の場合は、ステップＳ１へ移行する。逆に、Ｐ≦６０の場合は、運転制御部５はブザー９に出力して警報を発生させる。（ステップＳ６）
【００１５】
以上のように、上記実施の形態１に示す空気調和機によれば、最大除湿量に対する有効除湿量の割合を表示部に表示するようにしているので、低温高湿状態のような状態でも、使用者は容易に除湿能力が低下したことを把握することができ、使用者は室温を何らかの方法で上昇させることにより、より効率のよい除湿運転を行うことが可能となる。
また、１個の湿度センサーを設けるだけで、除湿能力を演算することができるので、複数の湿度センサーも設置する必要はなく、従来に比較して低コストの除湿運転機能を有する空気調和機を提供することができる。
さらにまた、使用者は警報を聞くことで、容易に室温低下を原因とした除湿能力の低下を察知することができ、より使い勝手の良い空気調和機を提供することができる。
【００１６】
実施の形態２．
図５は本発明の実施の形態２における制御フローチャートである。
この実施の形態２では、ステップＳ４ａにおいて、表示部８に表示する内容を、最大除湿量Ｈｂが得られるときの最適温度Ｔ1と、最大除湿量Ｈｂに対する有効除湿量Ｈａの割合Ｐの両方を表示するようにしている。
上記以外は、図３に示した実施の形態１の制御と同一である。
この実施の形態２によれば、最大除湿量Ｈｂが得られる最適温度Ｔ1と、最大除湿量Ｈｂに対する現在の除湿運転における有効除湿量Ｈａの割合Ｐの両方が表示されているので、使用者は現状を把握して、室温を上げる場合により適切な対応が行えるようになり、より効率のよい除湿運転が行えるようになる。
【００１７】
なお、本発明において、表示部８に表示する最大除湿量Ｈｂに対する有効除湿量Ｈａの割合Ｐの表示や最適温度Ｔ1の表示は数値表示でもかまわない。
【図面の簡単な説明】
【００１８】
【図１】本発明の実施の形態１を示す空気調和機の構成を示すブロック図である。
【図２】除湿運転機能を有する空気調和機の除湿量−室温特性線図である。
【図３】本発明の実施の形態１における制御フローチャートである。
【図４】本発明の実施の形態１における最大除湿量に対する有効除湿量の割合の表示例を示す図である。
【図５】本発明の実施の形態２における制御フローチャートである。
【符号の説明】
【００１９】
１  湿度センサー
２  温度センサー
３  除湿能力記憶部
４  除湿能力演算部
５  運転制御部
６  圧縮機
７  送風ファン
８  表示部
９  ブザー
【図１】
2005214482.tif 000003
【図２】
2005214482.tif 000004
【図３】
2005214482.tif 000005
【図４】
2005214482.tif 000006
【図５】
2005214482.tif 000007